(57)【要約】  【課題】  例えば通信販売における販売対象の発注において、特別な装置を必要とせず、操作性に優れ、誤入力等の問題も生じがたい情報取得システム、コンピュータプログラム及び発注支援方法を提供する。  【解決手段】  販売対象に関する情報を二次元バーコードとして表現した所定の配信情報を表示させるフレームを挿入した動画像を動画像作成装置１０にて作成して、放送装置２０から放送し、テレビジョン受像機等の動画像出力装置３０から出力させる。そして消費者は、動画撮影機能付き携帯電話等の動画像取得装置４０を用いてテレビジョン受像機に表示された動画像を撮影し、撮影した動画に挿入されているフレームに示された配信情報を読み取り、読み取った配信情報に含まれる販売対象に関する情報を判別し、判別した販売対象に関する情報に基づいて、発注受付装置６０に発注を行う。【選択図】      図１
2005354603.tif 000002
【特許請求の範囲】
【請求項１】
時系列的に連続するフレームにより構成される動画像を作成する動画像作成装置と、動画像を取得する動画像取得装置とを備え、該動画像取得装置は、前記動画像作成装置により作成された動画像に含まれる情報を取得する情報取得システムにおいて、
前記動画像作成装置は、
所定の配信情報を表示させるフレームを挿入した動画像を作成する手段を備え、
前記動画像取得装置は、
動画像を構成する複数のフレームを取得する手段と、
取得した複数のフレームから、配信情報を含むフレームを特定する手段と、
特定したフレームに含まれる配信情報を読み取る手段と
を備えることを特徴とする情報取得システム。
【請求項２】
時系列的に連続するフレームにより構成される動画像を取得する手段を備えるコンピュータに、動画像に含まれる情報を取得させるコンピュータプログラムにおいて、
コンピュータに、所定の配信情報を表示させるフレームを挿入した動画像を構成する複数のフレームを取得させる手順と、
コンピュータに、取得した複数のフレームから、配信情報を含むフレームを特定させる手順と、
コンピュータに、特定したフレームに含まれる配信情報を読み取らせる手順と
を実行させることを特徴とするコンピュータプログラム。
【請求項３】
時系列的に連続するフレームにより構成される動画像を作成する動画像作成装置と、動画像を取得する動画像取得装置と、該動画像取得装置と通信し、販売対象の発注を受け付ける発注受付装置とを用い、前記動画像取得装置から発注受付装置へ、販売対象の発注を示す発注情報を送信する発注支援方法において、
前記動画像作成装置は、
販売対象に関する情報を含む配信情報を表示させるフレームを挿入した動画像を作成し、
前記動画像取得装置は、
動画像を構成する複数のフレームを取得し、
取得した複数のフレームから、配信情報を含むフレームを特定し、
特定したフレームに含まれる配信情報を読み取り、
読み取った配信情報に含まれる販売対象に関する情報を判別し、
判別した販売対象に関する情報に基づいて、発注情報を前記発注受付装置へ送信する
ことを特徴とする発注支援方法。
【発明の詳細な説明】
【技術分野】
【０００１】
本発明は、動画像作成装置と動画像取得装置とを備え、該動画像取得装置は、前記動画像作成装置により作成された動画像に含まれる情報を取得する情報取得システム、該情報取得システムにて用いられる動画像取得装置を実現するためのコンピュータプログラム、及び前記情報取得システムを適用した発注支援方法に関し、特に動画像作成装置により作成された動画をテレビジョン放送として放送し、表示された動画像を動画撮影機能付き携帯電話を用いた情報取得装置にて取得して、販売対象の発注を行う情報取得システム、コンピュータプログラム及び発注支援方法に関する。
【背景技術】
【０００２】
昨今では、店舗にて商品を販売するのではなく、消費者からの電話、ファクシミリ等の通信による発注に対して商品を発送する形態で商品の販売を行う通信販売が広く普及している。通信販売の一つの形態としてテレビジョン受像機を用いたテレビショッピングと呼ばれる形態がある。
【０００３】
また昨今のインターネット等の通信網の発達は目覚ましく、テレビジョン受像機を通信網に接続し、テレビジョン受像機側が一方的に情報を受信するだけでなく、テレビジョン受像機側から必要に応じて様々な情報を送信する双方向サービスが普及し始めている。
【０００４】
そこで新たなテレビショッピングとして、通信網を介しての双方向サービスを用いた形態、また通信網を介して発注を行う形態が注目され始めている。例えばテレビショッピングの番組中において、商品と共に、商品名、商品コード、販売期間、金額、発注先のＵＲＬ(Universal Resource Locator)及び電子メールアドレスを放送し、消費者は、放送されたＵＲＬにアクセスして在庫の問い合わせを行った上で、発注先メールアドレス又はＵＲＬにより示される発注先へ、商品名、商品コード、消費者の名称及び連絡先等の情報を送信することにより、商品の発注を行う。特許文献１にも、このような通信網を介して発注を行う通信販売の形態が開示されている。
【特許文献１】特開２００２−３４２５９４号公報
【発明の開示】
【発明が解決しようとする課題】
【０００５】
しかしながらインターネット等の通信網を介して発注を行う従来の方法では、通信網に接続することができるテレビジョン受像機、又はテレビジョン受像機に取り付けられて通信網に接続するセットトップボックスがない場合、通信網を介しての簡単な操作による発注を行うことができないという問題がある。また番組を閲覧して、パーソナルコンピュータをインターネットに接続し、ＵＲＬ等の情報を打ち込むことで発注を行う場合、手間の増加、誤入力等の操作性に関する問題が生じる。
【０００６】
本発明は斯かる事情に鑑みてなされたものであり、商品名、商品コード、ＵＲＬ等の販売対象に関する情報を二次元バーコードとして表現した所定の配信情報を表示させるフレームを挿入した動画像を作成して放送し、テレビジョン受像機に表示させる。そして消費者は、動画撮影機能付き携帯電話等の動画像取得装置を用いてテレビジョン受像機に表示された動画を撮影し、撮影した動画に挿入されている配信情報を読み取り、読み取った配信情報に含まれる販売対象に関する情報を判別し、判別した販売対象に関する情報に基づいて、発注を行う。これにより、通信網に接続することができるテレビジョン受像機等の装置が無くとも、幅広い層に普及している携帯電話を用いた簡単な操作により、誤入力無く発注処理が行うことが可能な情報取得システム、該情報取得システムにて用いられる動画像取得装置を実現するためのコンピュータプログラム、及び前記情報取得システムを適用した発注支援方法の提供を目的とする。
【課題を解決するための手段】
【０００７】
第１発明に係る情報取得システムは、時系列的に連続するフレームにより構成される動画像を作成する動画像作成装置と、動画像を取得する動画像取得装置とを備え、該動画像取得装置は、前記動画像作成装置により作成された動画像に含まれる情報を取得する情報取得システムにおいて、前記動画像作成装置は、所定の配信情報を表示させるフレームを挿入した動画像を作成する手段を備え、前記動画像取得装置は、動画像を構成する複数のフレームを取得する手段と、取得した複数のフレームから、配信情報を含むフレームを特定する手段と、特定したフレームに含まれる配信情報を読み取る手段とを備えることを特徴とする。
【０００８】
本発明に係る情報取得システムでは、動画撮影機能付き携帯電話等の情報取得装置を用いて動画像に挿入されている配信情報を取得することにより、動画像作成装置にて作成された配信情報が挿入された動画像を、例えばテレビジョン放送用の放送装置を用いて放送し、テレビジョン受像機等の動画像出力装置に表示させることで、通信網に接続することが可能なテレビジョン受像機より普及が著しい携帯電話を用いた情報取得装置を所有する消費者が、簡単な操作で、配信情報を正確に読み取ることが可能である。従って例えば通信販売に関する番組の放送中に、盛り込める情報量が大きい二次元バーコードを用いて商品名、商品コード、ＵＲＬ等の販売対象に関する情報を配信情報として含ませることにより、消費者は、容易に、かつ正確に所望する販売対象に関する情報を入手し、販売対象を発注することが可能である。また動画像に挿入された配信情報を取得する方法としては、相前後するフレームを比較して、例えばフレームを構成する各画素のＲ値、Ｇ値及びＢ値に所定基準以上の変化があると判定した場合、前のフレーム又は後のフレームに配信情報が含まれているか否かを判定し、配信情報が含まれていると判定した場合に、当該フレームから配信情報を取得するという方法をとることにより、複雑な技術を用いることなく動画像に挿入された配信情報の取得を行うことが可能である。
【０００９】
第２発明に係るコンピュータプログラムは、時系列的に連続するフレームにより構成される動画像を取得する手段を備えるコンピュータに、動画像に含まれる情報を取得させるコンピュータプログラムにおいて、コンピュータに、所定の配信情報を表示させるフレームを挿入した動画像を構成する複数のフレームを取得させる手順と、コンピュータに、取得した複数のフレームから、配信情報を含むフレームを特定させる手順と、コンピュータに、特定したフレームに含まれる配信情報を読み取らせる手順とを実行させることを特徴とする。
【００１０】
本発明に係るコンピュータプログラムでは、動画撮影機能付き携帯電話等のコンピュータにて実行することにより、コンピュータが、動画像に挿入されている配信情報を取得する情報取得装置として機能するので、テレビジョン受像機等の動画像出力装置に表示された動画像から挿入されている配信情報を読み取ることが可能となるので、通信網に接続することが可能なテレビジョン受像機より普及が著しい携帯電話を用いた情報取得装置を所有する消費者が、簡単な操作で、配信情報を正確に入手することが可能である。
【００１１】
第３発明に係る発注支援方法は、時系列的に連続するフレームにより構成される動画像を作成する動画像作成装置と、動画像を取得する動画像取得装置と、該動画像取得装置と通信し、販売対象の発注を受け付ける発注受付装置とを用い、前記動画像取得装置から発注受付装置へ、販売対象の発注を示す発注情報を送信する発注支援方法において、前記動画像作成装置は、販売対象に関する情報を含む配信情報を表示させるフレームを挿入した動画像を作成し、前記動画像取得装置は、動画像を構成する複数のフレームを取得し、取得した複数のフレームから、配信情報を含むフレームを特定し、特定したフレームに含まれる配信情報を読み取り、読み取った配信情報に含まれる販売対象に関する情報を判別し、判別した販売対象に関する情報に基づいて、発注情報を前記発注受付装置へ送信することを特徴とする。
【００１２】
本発明に係る発注支援方法では、動画撮影機能付き携帯電話等の情報取得装置を用いて動画像に挿入されている配信情報を取得することにより、動画像作成装置にて作成された配信情報が挿入された動画像を、例えばテレビジョン放送用の放送装置を用いて放送し、テレビジョン受像機等の動画像出力装置に表示させることで、通信網に接続することが可能なテレビジョン受像機より普及が著しい携帯電話を用いた情報取得装置を所有する消費者は、容易に、かつ正確に所望する販売対象に関する情報を入手し、販売対象を発注することが可能である。
【発明の効果】
【００１３】
本発明に係る情報取得システム、コンピュータプログラム及び発注支援方法では、連続したフレームにより構成される動画像に、盛り込める情報量が大きい二次元バーコードを用いて商品名、商品コード、ＵＲＬ等の販売対象に関する情報を示した配信情報を含むフレームを挿入した動画像を、販売対象を販売する通信販売の番組として作成する。そして例えばテレビジョン放送用の放送装置を用いて動画像を放送し、テレビジョン受像機等の動画像出力装置に表示させる。さらに動画撮影機能付き携帯電話等の動画像取得装置を用いて動画像を撮影し、撮影した動画像を構成する各フレームを比較して挿入されている配信情報を含むフレームを特定し、特定したフレームに含まれる配信情報を読み取る。そして読み取った配信情報に含まれる販売対象に関する情報を判別し、判別した販売対象に関する情報に基づく発注情報を、発注受付装置へ送信することにより、販売対象の発注を行う。
【００１４】
この構成により、消費者は、普及が著しい携帯電話を動画像取得装置として用いることが可能であり、配信情報を簡単な操作で正確に入手することが可能である等、優れた効果を奏する。また携帯電話を動画像取得装置として用いることにより、外出先のテレビジョン受像機に表示されている動画像から配信情報を入手することも可能であり、利便性に優れている等の効果を奏する。また消費者は、販売対象に関する情報に基づいて発注作業を行う場合でも、動画像取得装置が読み取った配信情報に基づいて発注を行うこととなるので、発注情報の誤入力が無いため、正確に所望する販売対象の発注を行うことが可能である等、優れた効果を奏する。
【発明を実施するための最良の形態】
【００１５】
以下、本発明をその実施の形態を示す図面に基づいて詳述する。
【００１６】
図１は本発明の情報取得システムを概念的に示す説明図である。図１中１０は、テレビジョン放送される番組等の時系列的に連続するフレームにより構成される動画像の作成に用いられる動画像作成装置であり、動画像作成装置１０にて作成された動画像は、例えばテレビジョン放送用の放送装置２０により、地上波デジタル放送等の形式で放送される。放送された動画像は、テレビジョン受像機等の動画像出力装置３０により、受信され出力される。動画像出力装置３０にて出力される動画像を視聴する消費者は、動画撮影機能付き携帯電話を用いた動画像取得装置４０を管理しており、また動画像取得装置４０を用いてインターネット等の通信網１００に接続し、通信網１００に接続するウェブサーバコンピュータを用いた通信装置５０にアクセスして、通信装置５０に記録されている様々なコンピュータプログラムを動画像取得装置４０にダウンロードさせることができる。通信網１００には、通信販売にて販売される各種商品等の販売対象の発注を受け付けるウェブサーバコンピュータを用いた発注受付装置６０が接続されており、消費者は、動画像取得装置４０を用いて発注受付装置６０にアクセスし、販売対象の発注を行うこともできる。また発注受付装置６０にて発注を受け付ける商品の販売者は、動画像作成装置１０及び放送装置２０を管理する放送局と提携しており、テレビショッピングと呼ばれる通信販売の番組にて、通信販売により販売する商品に関する情報を放送する。
【００１７】
図２は本発明の情報取得システムにて用いられる動画像に係る各種装置の構成を示すブロック図である。動画像作成装置１０は、装置全体を制御する制御手段１１、各種コンピュータプログラム及びデータ等の情報を記録するハードディスク等の記録手段１２、情報を一時的に記憶するＲＡＭ等の記憶手段１３を備えている。さらに動画像作成装置１０は、動画像の作成に要するデジタルデータ又はアナログデータである原データの入力を受け付ける入力手段１４、作成した動画像をアナログデータ又はデジタルデータとして記録する着脱可能な又は内蔵された記録媒体１５、記録媒体１５に記録された動画像のデータを外部へ出力する出力手段１６、各種操作パネル等の操作手段１７、及びモニタ等の表示手段１８を備えている。
【００１８】
放送装置２０は、記録媒体１５に記録された動画像のデータの読み取り又は動画像作成装置１０が備える出力手段１６から出力された動画像のデータの入力の受付を行う動画像入力手段２１、動画像であるアナログデータ又はデジタルデータにより搬送波を変調する変調手段２２、変調した動画像をテレビジョン放送用の放送波として出力する放送波出力手段２３を備えている。
【００１９】
動画像出力装置３０は、制御手段３１、放送波を受信する放送波受信手段３２、受信した放送波から所望のチャネルの電磁波を分離して動画像を示す映像信号に変換する映像信号変換手段３３、映像信号を動画像として表示するブラウン管、液晶ディスプレイ等の出力手段３４を備えている。
【００２０】
そして動画像作成装置１０にて作成された動画像は、テレビジョン放送用の放送装置２０により、地上波デジタル放送等の放送形式で放送され、放送された動画像は、テレビジョン受像機等の動画像出力装置３０により、受信され出力される。
【００２１】
図３は本発明の情報取得システムにて用いられる通信網１００に接続する各種装置の構成を示すブロック図である。ウェブサーバコンピュータを用いた通信装置５０は、装置全体を制御するＣＰＵ(Central Processing Unit) 等の制御手段５１、各種情報を記録するハードディスク等の記録手段５２、情報を一時的に記憶するＲＡＭ(Random Access Memory)等の記憶手段５３、通信網１００に接続して他の装置と通信を行うための通信手段５４を備えている。
【００２２】
また通信装置５０が備える記録手段５２の記録領域の一部には、動画像取得装置４０上で実行されるアプリケーションプログラムであるＪＡＶＡ（登録商標）等のプログラミング言語で記述された本発明のコンピュータプログラム２００が記録されている。また本発明のコンピュータプログラム２００を動画像取得装置４０へ送信するサービスに用いられるウェブページを出力させるためのＣ−ＨＴＭＬ(Compact Hyper-Text Markup Language)、ＭＭＬ(Mobile Markup Language)及びＨＤＭＬ(Handheld Device Markup Language) 等のページ記述言語で記述された各種情報が記録されている。
【００２３】
携帯電話を用いた動画像取得装置４０は、装置全体の通信処理、撮影処理、アプリケーションプログラムの実行処理等の各種処理を制御するＣＰＵ等の制御手段４０１、各種処理に必要なコンピュータプログラム及びデータ等の情報を記録するＲＯＭ(Read Only Memory)等の不揮発性の記録手段４０２、一時的に発生する情報を記憶するＲＡＭ等の揮発性の記憶手段４０３を備えている。さらに制御手段４０１は、通信を制御する通信制御手段４０４を制御し、通信制御手段４０４は、通話用のデジタル音声信号、ページ記述言語で記述された情報、本発明のコンピュータプログラム２００等の各種アプリケーションプログラムとして実行される情報等の各種情報を送受信するアンテナ等の通信手段４０５を制御する。また制御手段４０１は、スピーカ等の音声出力手段４０６及びマイク等の音声入力手段４０７に出力又は入力される音声信号の変換処理を行う音声処理手段４０８を制御する。音声処理手段４０８による変換処理とは、音声出力手段４０６から出力すべきデジタル音声信号を音声に変換する処理、音声入力手段４０７から入力された音声に基づく音声信号をデジタル音声信号に変換する処理である。そして動画像取得装置４０は、制御手段４０１の制御により、英数字及び各種命令等のキー入力を受け付ける押し釦等のキー入力手段４０９から入力を受け付け、キー入力された情報及び送受信する情報等の各種情報を表示する液晶ディスプレイ等の表示手段４１０に必要な情報を表示させる。さらに動画像取得装置４０は、ＣＣＤ等の撮像素子を用いた撮影により動画像を取得するカメラ等の動画像取得手段４１１を備えている。
【００２４】
また動画像取得装置４０が備える記録手段４０２には、ページ記述言語で記述された各種情報をウェブページとして表示するための閲覧用アプリケーションプログラム（以下、ブラウザという）が記録されており、ブラウザの処理により、通信装置５０から通信網１００を介して受信した情報をウェブページとして表示手段４１０から表示させる。さらにウェブページを介して提供されるサービスの一つとして、通信装置５０に記録されている本発明のコンピュータプログラム２００を、通信網１００を介して受信（ダウンロード）することが可能であり、受信したコンピュータプログラム２００は、記録手段４０２に記録される。そして記録手段４０２から本発明のコンピュータプログラム２００を読み取り、記憶手段４０３に記憶させて、制御手段４０１の制御により実行することにより、携帯電話は、本発明の動画像取得装置４０として動作する。また動画像取得装置４０が備える記録手段４０２には、電子メールの送受信を行う電子メール用アプリケーションプログラム（以下、メーラという）も記録されている。
【００２５】
ウェブサーバコンピュータを用いた発注受付装置６０は、制御手段６１、記録手段６２、記憶手段６３及び通信手段６４を備えている。そして記録手段６２には、販売対象の発注を示す発注情報を受け付けて販売対象の販売に関する処理を行うアプリケーションプログラム等の各種情報が記録されている。
【００２６】
次に本発明の情報取得システムを発注支援方法に適用した場合の各装置の処理について説明する。図４は本発明の情報取得システムが備える動画像作成装置１０の動画像作成処理を示すフローチャートである。動画像作成装置１０では、制御手段１１の制御により、入力手段１４から、原データとして、通信販売の番組等の連続したフレームにより構成される動画像を受け付け（Ｓ１０１）、更に二次元バーコードの形式にて示された配信情報の入力を受け付け（Ｓ１０２）、配信情報を含むフレームを挿入した動画像を作成し（Ｓ１０３）、作成した動画像を記録媒体１５に記録する（Ｓ１０４）。そして記録媒体１５に記録された動画像は、テレビジョン放送用の放送装置２０が備える動画像入力手段２１を介して放送装置２０に入力され、変調手段２２により変調され、放送波出力手段２３から地上波デジタル放送等の放送形式で放送される。なお放送波として放送するのではなく、ケーブルテレビ、通信網１００等の有線の伝送媒体を介して、消費者が視聴する動画像出力装置３０へ送信する様にしても良い。
【００２７】
図５は本発明の情報取得システムが備える動画像作成装置１０が作成した動画像を概念的に示す説明図である。図５は、図４を用いて説明した動画像作成装置１０の動画像作成処理におけるステップＳ１０３にて作成した動画像を示したものであり、作成される動画像は、時系列的に連続する複数のフレームにより構成されており、図５中では、上方に示したフレームから下方に示したフレームへの時系列の流れがある。このように作成された動画像を、例えば動画像出力装置３０から出力する場合、複数のフレームを１秒間に３０フレームの更新速度で表示する。具体的には、フレームａ０１が表示され、その後、１／３０秒の間隔で、ａ０２，…，ａ３０，ｂ０１，ａ３１，…，ａ６０，ｂ０２，ａ６１，…の順で各フレームが表示される。
【００２８】
図５に示した各フレーム中、ａ０１，…，ａ３０，ａ３１，…，ａ６０，ａ６１，…との符号を付したフレームは、図４におけるステップＳ１０１にて受け付けた原データである動画像を構成するフレームであり、２人の人物が会話している状況を表示する動画像である。図５に示した各フレーム中、ｂ０１，ｂ０２との符号を付したフレームは、図４におけるステップＳ１０２にて受け付けた配信情報である。図５に示すように配信情報は、二次元バーコードの形式にて示されており、二次元バーコードとして、発注受付装置６０にて発注を受け付ける商品の商品名、商品コード、通信網１００上での発注受付装置６０の位置を示すＵＲＬ等の販売対象に関する情報が、コード化された状態で含まれている。なお動画像中、配信情報を表示するフレームは、３０フレーム毎に１フレームの割合で挿入されるので、消費者は、１秒間に１回、１／３０秒間だけ表示される配信情報を特に意識することなく、原データである動画像を視聴することとなる。
【００２９】
図６は本発明の情報取得システムが備える動画像取得装置４０の配信情報読取処理を示すフローチャートである。放送装置２０から放送された動画像を受信した動画像出力装置３０は、受信した動画像を出力手段３４から出力する。消費者は、先ず動画像取得装置４０を操作して、通信装置５０にアクセスし、通信装置５０に記録されている本発明のコンピュータプログラム２００をダウンロードして、記録手段４０２に記録し、制御手段４０１の制御により、記録手段４０２に記録したコンピュータプログラム２００を実行可能な状態にする。そして動画像出力装置３０から出力されている動画像を、動画像取得装置４０により撮影する。
【００３０】
動画像取得装置４０では、コンピュータプログラム２００を実行する制御手段４０１の制御により、動画像取得手段４１１から動画像を構成する複数のフレームを取得する（Ｓ２０１）。ステップＳ２０１による複数のフレームの取得は、動画像出力装置３０が備える液晶ディスプレイ等の出力手段３４に表示された動画像を撮影することにより取得するのであるが、動画像出力装置３０が備える出力手段３４が、映像信号として出力する出力端子であっても良く、その場合、動画像取得装置４０が備える入力端子を用いた動画像取得手段４１１とケーブル等の有線で接続することにより、動画像出力装置３０から出力された動画像を構成する複数のフレームを動画像取得装置４０にて取得することが可能となる。
【００３１】
さらに動画像取得装置４０では、制御手段４０１の制御により、取得した複数のフレームに対し、取得した順に、相前後するフレームを順次比較し（Ｓ２０２）、比較により所定基準以上の変化が有ると判定した場合（Ｓ２０３：ＹＥＳ）、比較した後のフレームが、配信情報を表示させるフレームか否かを判定し（Ｓ２０４）、後のフレームが配信情報を表示させるフレームであると判定したとき（Ｓ２０４：ＹＥＳ）、当該フレームを、配信情報を含むフレームであると特定する（Ｓ２０５）。ステップＳ２０３で所定基準以上の変化が無いと判定した場合（Ｓ２０３：ＮＯ）、ステップＳ２０２に戻り、次の相前後するフレームを比較する。ステップＳ２０４で後のフレームが配信情報を表示させるフレームではないと判定したとき（Ｓ２０４：ＮＯ）、ステップＳ２０２に戻り、次の相前後するフレームを比較する。
【００３２】
図７は本発明の情報取得システムが備える動画像取得装置４０が取得した動画像を概念的に示す説明図である。図７は、図６を用いて説明した動画像取得装置４０の配信情報読取処理におけるステップＳ２０１にて取得した動画像を構成するフレームを示したものであり、図７中では、上方に示したフレームから下方に示したフレームへ時系列の流れがある。即ちフレームａ０１が表示され、その後、ａ０２，…，ａ２７，ａ２８，ａ２９，ａ３０，ｂ０１，ａ３１，…，ａ６０，…の順で各フレームが表示される。ステップＳ２０２の比較において、フレームａ２７とａ２８とを比較した場合、フレームａ３０とｂ０１とを比較した場合、及びフレームｂ０１とａ３１とを比較した場合に、所定基準以上の変化が有ると判定される。そしてステップＳ２０４の判定においては、比較したフレームがａ３０とｂ０１とである場合に、比較した後のフレームであるｂ０１が配信情報を表示させるフレームであると判定される。なおステップＳ２０３の所定基準以上の変化については、その基準を適宜設定することが可能である。例えばフレームを構成する各画素のＲ値、Ｇ値及びＢ値の刺激値の差を比較し、各刺激値の差が予め設定されている値以上であると判定した画素の数を計数し、計数して得られた数が予め設定されている値以上であると判定した場合に所定基準以上の変化があるという判定の基準を設けることができる。またステップＳ２０４にて比較した後のフレームが配信情報を表示させるフレームか否かを判定するのではなく、比較した前のフレームが配信情報を表示させるフレーム否かを判定する様にしても良い。
【００３３】
図６のフローチャートに戻り、動画像取得装置４０では、制御手段４０１の制御により、配信情報を含むと特定したフレームに含まれる配信情報を読み取り（Ｓ２０６）、読み取った配信情報に含まれる販売対象に関する情報を判別し（Ｓ２０７）、判別した情報の一部又は全部を表示手段４１０に表示する（Ｓ２０８）。配信情報に含まれる販売対象に関する情報とは、販売対象である商品の商品名、商品コード、販売期間、金額、発注先を示すＵＲＬ及び電子メールアドレス等の情報である。なお販売対象としては、物としての商品だけでなく、役務も含まれる。
【００３４】
表示手段４１０に表示された販売対象に関する情報を確認した消費者は、販売対象の発注を所望する場合、販売対象を発注する発注情報を、発注先の電子メールアドレスにより示される発注受付装置６０へ送信させる操作を行う。動画像取得装置４０では、制御手段４０１の制御により、発注情報を送信させる消費者の操作を受け付け（Ｓ２０９）、販売対象に関する情報に基づく発注受付装置６０へ、通信手段４０５から通信網１００を介して発注情報を送信する（Ｓ２１０）。そして発注受付装置６０では、受信した発注情報に基づいて、販売対象を発送するための所定の処理を行う。なお発注情報を送信する前の段階として、ＵＲＬにて示される発注先を示す発注受付装置６０にて公開されているウェブページにアクセスし、当該販売対象の在庫を確認する様にしても良い。また販売対象を発注するに当たっては、消費者の個人情報、具体的には、氏名、住所、電話番号、年齢、性別、職業等の情報を送信する必要も生じるが、発注情報送信時の操作として入力する様にしても、また予めコンピュータプログラム２００の実行時の処理として携帯電話である動画像取得装置４０に登録しておく様にしても良い。
【００３５】
前記実施の形態では、テレビジョン放送として放送する番組中に、配信情報を挿入した動画像を出力する形態を示したが、本発明はこれに限らず、動画像作成装置にて作成した動画を、ＤＶＤ(Digital Versatile Disc)等の記録媒体に記録して、消費者に配布し、消費者は、記録媒体に記録されている動画像を動画像出力装置により出力させ、それを動画像取得装置にて取得し、挿入されている配信情報を読み取る様にしても良い等、様々な形態に展開することが可能である。
【００３６】
（付記１）時系列的に連続するフレームにより構成される動画像を作成する動画像作成装置と、動画像を取得する動画像取得装置とを備え、該動画像取得装置は、前記動画像作成装置により作成された動画像に含まれる情報を取得する情報取得システムにおいて、前記動画像作成装置は、所定の配信情報を表示させるフレームを挿入した動画像を作成する手段を備え、前記動画像取得装置は、動画像を構成する複数のフレームを取得する手段と、取得した複数のフレームから、配信情報を含むフレームを特定する手段と、特定したフレームに含まれる配信情報を読み取る手段とを備えることを特徴とする情報取得システム。
（付記２）前記動画像取得装置は、更に、相前後するフレームを比較する手段と、該比較により所定基準以上の変化が有ると判別した場合に、前のフレーム又は後のフレームが、配信情報を表示させるフレームか否かを判定する手段とを備え、前記フレームを特定する手段は、前記前のフレーム又は後のフレームが配信情報を表示させるフレームであると判定したときに、当該フレームを、配信情報を含むフレームとして特定するようにしてあることを特徴とする付記１に記載の情報取得システム。
（付記３）前記配信情報は、二次元バーコードの形式にて示された情報であることを特徴とする付記１又は付記２に記載の情報取得システム。
（付記４）前記動画像取得装置は、動画撮影機能付き携帯電話であることを特徴とする付記１乃至付記３のいずれかに記載の情報取得システム。
（付記５）前記動画像作成装置により作成された動画像を放送する放送装置と、該放送装置から放送される動画像を受信して出力する動画像出力装置とを更に備えることを特徴とする付記１乃至付記４のいずれかに記載の情報取得システム。
（付記６）時系列的に連続するフレームにより構成される動画像を取得する手段を備えるコンピュータに、動画像に含まれる情報を取得させるコンピュータプログラムにおいて、コンピュータに、所定の配信情報を表示させるフレームを挿入した動画像を構成する複数のフレームを取得させる手順と、コンピュータに、取得した複数のフレームから、配信情報を含むフレームを特定させる手順と、コンピュータに、特定したフレームに含まれる配信情報を読み取らせる手順とを実行させることを特徴とするコンピュータプログラム。
（付記７）時系列的に連続するフレームにより構成される動画像を作成する動画像作成装置と、動画像を取得する動画像取得装置と、該動画像取得装置と通信し、販売対象の発注を受け付ける発注受付装置とを用い、前記動画像取得装置から発注受付装置へ、販売対象の発注を示す発注情報を送信する発注支援方法において、前記動画像作成装置は、販売対象に関する情報を含む配信情報を表示させるフレームを挿入した動画像を作成し、前記動画像取得装置は、動画像を構成する複数のフレームを取得し、取得した複数のフレームから、配信情報を含むフレームを特定し、特定したフレームに含まれる配信情報を読み取り、読み取った配信情報に含まれる販売対象に関する情報を判別し、判別した販売対象に関する情報に基づいて、発注情報を前記発注受付装置へ送信することを特徴とする発注支援方法。
【図面の簡単な説明】
【００３７】
【図１】本発明の情報取得システムを概念的に示す説明図である。
【図２】本発明の情報取得システムにて用いられる動画像に係る各種装置の構成を示すブロック図である。
【図３】本発明の情報取得システムにて用いられる通信網に接続する各種装置の構成を示すブロック図である。
【図４】本発明の情報取得システムが備える動画像作成装置の動画像作成処理を示すフローチャートである。
【図５】本発明の情報取得システムが備える動画像作成装置が作成した動画像を概念的に示す説明図である。
【図６】本発明の情報取得システムが備える動画像取得装置の配信情報読取処理を示すフローチャートである。
【図７】本発明の情報取得システムが備える動画像取得装置が取得した動画像を概念的に示す説明図である。
【符号の説明】
【００３８】
１０  動画像作成装置
２０  放送装置
３０  動画像出力装置
４０  動画像取得装置
５０  通信装置
６０  発注受付装置
【図１】
2005354603.tif 000003
【図２】
2005354603.tif 000004
【図３】
2005354603.tif 000005
【図４】
2005354603.tif 000006
【図５】
2005354603.tif 000007
【図６】
2005354603.tif 000008
【図７】
2005354603.tif 000009